(57)【要約】【課題】セキュリティに優れた紙葉類検出装置を提供すること。【解決手段】紙葉類を搬送する搬送手段（１０）と、前記紙葉類の紙葉類の物理特性を検知する検知手段（２０、３０）と、を備え、前記検知手段は、所定時間毎にデータを監視手段（５０）から受け取り、前記監視手段に返信データを送信し、かつ、前記監視手段のデータを受信しなくなった時点で、前記検知手段の動作を不可にする。【選択図】      図１
2008171080.tif 000002
【特許請求の範囲】
【請求項１】
紙葉類を搬送する搬送手段と、
前記紙葉類の紙葉類の物理特性を検知する検知手段と、を備え、
前記検知手段は、所定時間毎にデータを監視手段から受け取り、前記監視手段に返信データを送信し、かつ、前記監視手段のデータを受信しなくなった時点で、前記検知手段の動作を不可にすることを特徴とする紙葉類検出装置。
【請求項２】
請求項１に記載の紙葉類検出装置において、前記データ及び前記返信データは暗号化されていることを特徴とする紙葉類検出装置。
【請求項３】
紙葉類を搬送する搬送手段と、
前記紙葉類の紙葉類の物理特性を検知する検知手段と、
前記検知手段を固定する固定具の有無を検出する検出手段と、を具備し、前記検出手段が固定具がないことを検出した時点で、前記検知手段の動作を不可にすることを特徴とする紙葉類検出装置。
【請求項４】
請求項１から請求項３のいずれか１項に記載の紙葉類検出装置において、前記検知手段が取り外されたことを検出した時点で、外部に通報することを特徴とする紙葉類検出装置。
【請求項５】
請求項１から請求項３のいずれか１項に記載の紙葉類検出装置において、検知手段の取り外しを可能とするためのパスワードを入力する手段を更に備え、前記パスワードの入力により、外部通報を取り消すことを特徴とする紙葉類検出装置。
【請求項６】
請求項１から請求項３のいずれか１項に記載の紙葉類検出装置において、通常業務に使用する通常モードと業務終了後の監視モードとの２つの動作モードを備え、該２つの動作モードを業務の開始及び終了時に切り替えることを特徴とする紙葉類検出装置。
【発明の詳細な説明】
【技術分野】
【０００１】
本発明は、各種センサを配置した搬送路上に紙葉類を搬送し、センサ出力信号からその紙葉類の物理特性を検知し、紙葉類の分類を行う紙葉類検知装置に関する。
【背景技術】
【０００２】
紙葉類を複数の各種センサ部を配置した搬送路上に搬送し、センサ部からの出力信号から、その紙葉類の物理特性を検知し、紙葉類の分類を行う紙葉類検知装置が知られている。  
上記のような装置において、テレホンカードの盗難や故障時に隣接されている公衆電話回線を利用して外部に通報するもの（特許文献１参照）や、盗難された通信機器装置の再使用防止に関するもの（特許文献２参照）が提案されている。
【０００３】
しかし、紙葉類検出装置において、特に、その真偽検知装置が盗難にあい、装置内部を解析され再利用されるリスクを回避するような仕組みが存在していない。
【特許文献１】特開平６−３０１４２号公報
【特許文献２】特開２００４−２８８９９３号公報
【発明の開示】
【発明が解決しようとする課題】
【０００４】
本発明は、セキュリティに優れた紙葉類検出装置を提供することを目的とする。
【課題を解決するための手段】
【０００５】
本発明の局面に係る紙葉類検出装置は、紙葉類を搬送する搬送手段と、前記紙葉類の紙葉類の物理特性を検知する検知手段と、を備え、前記検知手段は、所定時間毎にデータを監視手段から受け取り、前記監視手段に返信データを送信し、かつ、前記監視手段のデータを受信しなくなった時点で、前記検出手段の動作を不可にすることを特徴とする。本発明は、装置に限らず、本発明に係る装置の機能を実現するための方法やプログラムの発明としても成立する。
【発明の効果】
【０００６】
本発明によれば、セキュリティに優れた紙葉類検出装置を提供することができる。
【発明を実施するための最良の形態】
【０００７】
図面を参照して本発明の実施の形態を説明する。図１は、本発明の第１の実施形態に係る紙葉類検知装置の概略構成を示す図である。
【０００８】
本実施形態に係る紙葉類検知装置は、紙葉類１５を搬送する搬送路１０と、複数のセンサ部２０と、検知処理器３０と、データ収集器４０と、共有メモリ３５と、中央演算器５０と、通報部６０とを備えている。センサ部２０と、検知処理器３０及びデータ収集器４０とは、データバス２５で接続されており、共有メモリ３５と、中央演算器５０とは、通信回線４５（有線無線を問わない。又データバスでも良い）で接続されている。
【０００９】
上記のような構成において、紙葉類１５は搬送路１０で搬送されながら、複数のセンサ部２０でセンスされる。センサ部２０は、センサ部２０毎に各種センスした信号をアナログ／デジタル変換して、デジタルデータとして、データバス２５に出力する。この場合において、デジタルデータにはどのセンサ部２０からのデータかを示す識別子が付与され、図示しない分配器で検知処理毎にデータがまとめられてデータバス２５に出力される。
【００１０】
検知処理器３０は、デジタルデータに付与された識別子をデコードし、その値によって各検知処理器３０がそれぞれ処理すべきデータの検知処理を実行する。各検知処理器３０が検知処理を終了すると、検知処理器３０は、検知処理器３０と中央演算器５０との間に配置された共有メモリ３５に検知結果を書き込む。
【００１１】
データ収集器４０はデータバスに出力される出力データをデータ収集器４０内の図示しないメモリに書きこむことによってデータを収集する。
【００１２】
中央演算器５０は、検知処理器３０で検知処理を行った種々の物理特性の検知結果を解析して所定の動作を指示する信号を図示しない出力部に出力する。また、必要に応じて、警備会社７０へ通報を行うための信号を通報部６０に出力する。
【００１３】
なお、上記の構成において、センサ部２０と、検知処理器３０と、共有メモリ３５と、データ収集器は、バスを介して相互に接続されたユニット（以下、「検知ユニット」と称する）として構成されており、中央演算器５０は、検知ユニットとは異なる場所に設置されていることが好ましい。
【００１４】
上記のように構成された本発明の第１の実施形態に係る紙葉類検知装置の動作を説明する。図２は、本発明の第１の実施形態に係る紙葉類検知装置の動作を示すフローチャートである。本実施形態では、検知ユニットからパスワードを中央演算器５０に送信することにより、盗難の有無を監視するものである。
【００１５】
まず、中央演算器５０が、検知ユニット（いずれの機器でも良いが、例えば、検知処理器３０或いはセンサ部２０。特にセンサ部２０が好ましい）に搭載確認用のデータを送信する（ステップＡ１）。この場合において、該送信データは暗号化されていることが好ましい。そして、検知ユニットから返信が所定時間内に行われたかどうかをチェックする（ステップＡ２）。ここで、検知ユニットからの返信データが所定の時間内に受信できない場合には、検知ユニットが盗難にあった可能性があるので、通報部６０を介して警部会社に通報する（ステップＡ６）。
【００１６】
検知ユニットが通信回線４５で接続された状態であれば、検知ユニットは当該データを解釈して、所定の時間内に返信データを中央演算器５０に送信する（ステップＡ２のＮＯ）。なお、この返信データも暗号化されていることが好ましい。中央演算器５０は、検知ユニットから返信データを受信すると（ステップＡ３）、該返信データが正しいデータがどうかを判定する（ステップＡ４）。検知ユニットからの返信データが正しいデータであれば（ステップＡ４のＹＥＳ）、通常処理へ戻り（ステップＡ５）、返信データが正しいデータでなければ、検知ユニットが、不正に交換された可能性があるので、通報部６０を介して警部会社に通報する（ステップＡ６）。
【００１７】
なお、本実施形態では、検知ユニットが中央演算器５０からのデータを受信できなくなった時点で、動作が出来なくなるようにしている。このため、検知ユニットの再利用ができなくなり、セキュリティが向上すると共に、中央演算器５０側では、検知ユニットの異常をリアルタイムに監視できるので、検知ユニットの盗難などに即座に対応できる。
【００１８】
図３を参照して、第２の実施形態を説明する。図３は、本発明の第２の実施形態に係る紙葉類検知装置の概略構成を示す図である。図３において、図１と同じ部分には同じ符号を付し、詳細な説明は省略する。
【００１９】
第１の実施形態では、中央演算器５０と検知ユニット間のデータの送受信によって検知ユニットの盗難等を確認した。第２の実施形態では、センサ部２０に替えて、ＯＮ／ＯＦＦセンサを搭載したセンサ部２２を備えている。このＯＮ／ＯＦＦセンサは、例えば、センサ部２２を検知ユニットに固定するための留め金等の固定具の有無を検出するセンサであって、常時オフであり、センサ部２２が検知ユニットから外された時点で、オンになる。なお、このＯＮ／ＯＦＦセンサは、検知ユニットに数カ所設けておいても良く、検知ユニットのいずれかの固定具の有無を検出するようにしても良い。そして、ＯＮ／ＯＦＦセンサがオンになった時点で、その旨が、中央演算器５０に通知され、第１の実施形態と同様に、通報部６０を介して、検知ユニットの異常が警備会社７０に通知される。
【００２０】
本実施形態により、第１の実施形態と同様の効果が得られる。
【００２１】
第３の実施形態を、図４を参照して説明する。図４は、本発明の第３の実施形態に係る動作の流れを示すフローチャートである。なお、装置の構成は、第１の実施形態或いは第２の実施形態と同様であるので、図示及び説明は省略する。また、図４において、図２と同じ処理については、同じ符号を付し、処理内容の説明は省略する。本実施形態では、例えば、メンテナンス等のために検知ユニッの取り外しを行う場合の実施形態である。
【００２２】
まず、メンテナンス等を行うのに先立って、検知ユニットの取り外し用のパスワードを中央演算器５０に送信する（ステップＢ１）。中央演算器５０は、当該パスワードが正しいかどうかの判定を行い（ステップＢ２）、正しければ検知ユニットの取り外しを許可する（ステップＢ３）。そして、メンテナンス等の作業の終了通知を受信（ステップＢ４）した後に通常処理へ移行する（ステップＢ７）。
【００２３】
パスワードが正しくない場合には（ステップＢ２のＮＯ）、第１の実施形態におけるステップＡ１からステップＡ６に示す処理を実行して、検知ユニットの盗難等の有無を検知する。本実施形態により、メンテナンス等のように保守点検時において、警備会社に通報されずに必要に応じて検知ユニットを取り外すことができるので、メンテナンス性が向上する。
【００２４】
第４の実施形態を説明する。第４の実施形態の構成は前述した各実施形態と同様であるので、図示及び詳細な説明は省略する。  
本実施形態では、通常業務に使用している通常モードと業務終了後等の監視モードとを備え、これらの通常モードと監視モードとを、業務の開始及び終了時に切り替えるようにしている。このモード切替により、使用する電源やリソースを最小限にすることができる。すなわち、監視モードでは、機器の動作は必要にならないため、必要最小限の消費電力で、盗難を防ぐことができる。
【００２５】
本発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００２６】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２７】
【図１】本発明の第１の実施形態に係る紙葉類検知装置の概略構成を示す図である。
【図２】本発明の第１の実施形態に係る紙葉類検知装置の動作を示すフローチャートである。
【図３】本発明の第２の実施形態に係る紙葉類検知装置の概略構成を示す図である。
【図４】本発明の第３の実施形態に係る動作の流れを示すフローチャートである。
【符号の説明】
【００２８】
１０…搬送路
１５…紙葉類
２０…センサ部
２２…センサ部
２５…データバス
３０…検知処理器
３５…共有メモリ
４０…データ収集器
４５…通信回線
５０…中央演算器
６０…通報部
７０…警備会社
【図１】
2008171080.tif 000003
【図２】
2008171080.tif 000004
【図３】
2008171080.tif 000005
【図４】
2008171080.tif 000006